【手続補正書】
【提出日】平成18年12月19日(2006.12.19)
【手続補正１】
【補正対象書類名】明細書
【補正対象項目名】請求項１
【補正方法】変更
【補正の内容】
【請求項１】  タブ紙がタブの順に積載されているタブ紙積載手段から、前記タブ紙を前記タブ順に搬送経路を経て、所定の位置に排出するタブ紙搬送装置において、
前記タブ紙が前記搬送経路に詰まったとき、前記詰まったタブ紙以降、前記詰まったタブ紙に相当するタブ紙前のタブ紙までのタブ紙を除去すべきと判断する除去タブ紙判断手段と、
前記除去タブ紙判断手段によって判断された除去すべきタブ紙を外部に表示する除去タブ紙表示手段と、
を備えたことを特徴とするタブ紙搬送装置。
【手続補正２】
【補正対象書類名】明細書
【補正対象項目名】請求項２
【補正方法】変更
【補正の内容】
【請求項２】  タブ紙がタブの順に積載されているタブ紙積載手段から、前記タブ紙を前記タブ順に搬送経路を経て、所定の位置に排出するタブ紙搬送装置において、
前記タブ紙が前記搬送経路に詰まったとき、前記詰まったタブ紙以降、前記詰まったタブ紙に相当するタブ紙前のタブ紙までのタブ紙を除去すべきタブ紙と判断する除去タブ紙判断手段と、
前記除去タブ紙判断手段によって判断された除去すべきタブ紙を前記所定の位置と異なる位置に排出する除去タブ紙排出手段と、
を備えたことを特徴とするタブ紙搬送装置。
【手続補正３】
【補正対象書類名】明細書
【補正対象項目名】請求項３
【補正方法】変更
【補正の内容】
【請求項３】  前記除去タブ紙判断手段が、
外部から前記タブの数が入力されるタブ数入力部と、
前記タブ紙積載手段から前記搬送経路に供給されるタブ紙を検知するタブ紙供給検知部と、
前記搬送経路から排出されるタブ紙を検知するタブ紙排出検知部と、
前記タブ数入力部から入力されたタブ数と、前記タブ紙供給検知部の検知動作と、前記タブ紙排出検知部の検知動作とによって、タブ紙の枚数を計算して前記搬送経路に存在するタブ紙のタブ位置を判断する搬送タブ紙判断部と、
を有していることを特徴とする請求項１または２に記載のタブ紙搬送装置。
【手続補正４】
【補正対象書類名】明細書
【補正対象項目名】０００７
【補正方法】変更
【補正の内容】
【０００７】
【課題を解決するための手段】
本発明の、タブ紙がタブの順に積載されているタブ紙積載手段から、前記タブ紙を前記タブ順に搬送経路を経て、所定の位置に排出するタブ紙搬送装置は、上記目的を達成するため、前記タブ紙が前記搬送経路に詰まったとき、前記詰まったタブ紙以降、前記詰まったタブ紙に相当するタブ紙前のタブ紙までのタブ紙を除去すべきタブ紙を判断する除去タブ紙判断手段と、前記除去タブ紙判断手段によって判断された除去すべきタブ紙を外部に表示する除去タブ紙表示手段と、を備えている。
【手続補正５】
【補正対象書類名】明細書
【補正対象項目名】０００８
【補正方法】変更
【補正の内容】
【０００８】
本発明の、タブ紙がタブの順に積載されているタブ紙積載手段から、前記タブ紙を前記タブ順に搬送経路を経て、所定の位置に排出するタブ紙搬送装置は、上記目的を達成するため、前記タブ紙が前記搬送経路に詰まったとき、前記詰まったタブ紙以降、前記詰まったタブ紙に相当するタブ紙前のタブ紙までのタブ紙を除去すべきタブ紙を判断する除去タブ紙判断手段と、前記除去タブ紙判断手段によって判断された除去すべきタブ紙を前記所定の位置と異なる位置に排出する除去タブ紙排出手段と、を備えている。
【手続補正６】
【補正対象書類名】明細書
【補正対象項目名】０００９
【補正方法】変更
【補正の内容】
【０００９】
前記除去タブ紙判断手段は、外部から前記タブの数が入力されるタブ数入力部と、前記タブ紙積載手段から前記搬送経路に供給されるタブ紙を検知するタブ紙供給検知部と、前記搬送経路から排出されるタブ紙を検知するタブ紙排出検知部と、前記タブ数入力部から入力されたタブ数と、前記タブ紙供給検知部の検知動作と、前記タブ紙排出検知部の検知動作とによって、タブ紙の枚数を計算して前記搬送経路に存在するタブ紙のタブ位置を判断する搬送タブ紙判断部と、を有している。
【手続補正７】
【補正対象書類名】明細書
【補正対象項目名】００１４
【補正方法】変更
【補正の内容】
【００１４】
（作用）
タブ紙搬送装置は、タブ紙積載手段からタブ紙を搬送経路に供給し、所定の位置に排出するようになっている。搬送経路にタブ紙が詰まると、除去タブ紙判断手段は、詰まったタブ紙以降、詰まったタブ紙に相当するタブ紙前のタブ紙までのタブ紙を除去すべきタブ紙と判断する。除去タブ紙表示手段は、除去タブ紙判断手段によって判断された除去すべきタブ紙を外部に表示する。ユーザーは、除去タブ紙表示手段によって、表示された除去すべきタブ紙を見て、そのタブ紙を除去する。これによって、タブ紙搬送装置は、タブ紙のタブ位置順にタブ紙を搬送することができる。
【手続補正８】
【補正対象書類名】明細書
【補正対象項目名】００１５
【補正方法】変更
【補正の内容】
【００１５】
タブ紙搬送装置は、タブ紙積載手段からタブ紙を搬送経路に供給し、所定の位置に排出するようになっている。搬送経路にタブ紙が詰まると、除去タブ紙判断手段は、詰まったタブ紙以降、詰まったタブ紙に相当するタブ紙前のタブ紙までのタブ紙を除去すべきタブ紙と判断する。除去タブ紙排出手段は、除去タブ紙判断手段によって判断された除去すべきタブ紙を所定の位置と異なる位置に排出する。これによって、タブ紙搬送装置は、タブ紙のタブ位置順にタブ紙を搬送することができる。
【手続補正９】
【補正対象書類名】明細書
【補正対象項目名】００２９
【補正方法】変更
【補正の内容】
【００２９】
ＣＰＵ２０１は、複写機の制御手順（制御プログラム）を記憶した読み取り専用メモリ２０３（ＲＯＭ）からプログラムを順次読み取り、複写機１００全体の制御を行うようになっている。ＣＰＵ２０１のアドレスデコーダおよびデータバスは、バスドライバー回路およびアドレスデコーダ回路２０２を経て各負荷に接続されている。また、ランダムアクセスメモリ（ＲＡＭ）２０４は入力データの記憶や作業用記憶領域等として用いられる主記憶装置である。画像データ用ハードディスク２０５は、ＣＣＤユニット１０６から入力された画像処理済みのデータ、および、ネットワーク等からの画像データを記憶するようになっている。
【手続補正１０】
【補正対象書類名】明細書
【補正対象項目名】００４２
【補正方法】変更
【補正の内容】
【００４２】
図１のシート供給ユニット１２８に図５に示すようにタブ紙Ｔ１、Ｔ２、Ｔ３、Ｔ４が収納されているとする。タブ紙のタブＴｂは（１／２）インチの幅を有しており、定型サイズのシートより突き出ている。タブ紙か否かは、図５に示すように後端規制板１９０をタブＴｂに突き当てて、後端規制板１９０の位置をタブ紙検知センサ（積載シート判別部）１９１が検出することによって検知される。タブ紙検知センサ１９１の検知信号は、ＣＰＵ２０１に送られる。なお、タブ紙をシート供給ユニット１２８に収納したことは、ユーザーが操作パネル１５１のタブ紙指定部１５１ｂからＣＰＵ２０１に報せてもよい。
【手続補正１１】
【補正対象書類名】明細書
【補正対象項目名】００５３
【補正方法】変更
【補正の内容】
【００５３】
【発明の効果】
本発明のタブ紙搬送装置は、搬送経路にタブ紙が詰まると、除去タブ紙判断手段が、詰まったタブ紙以降、詰まったタブ紙に相当するタブ紙前のタブ紙までのタブ紙を除去すべきタブ紙と判断し、除去タブ紙表示手段が、除去タブ紙判断手段によって判断された除去すべきタブ紙を外部に表示するようになっているので、ユーザーが、除去タブ紙表示手段によって、表示された除去すべきタブ紙を見て、そのタブ紙を除去することができ、これによって、タブ紙詰まりが発生しても、タブ紙のタブ位置順にタブ紙を搬送することができる。
【手続補正１２】
【補正対象書類名】明細書
【補正対象項目名】００５４
【補正方法】変更
【補正の内容】
【００５４】
本発明のタブ紙搬送装置は、搬送経路にタブ紙が詰まると、除去タブ紙判断手段は、詰まったタブ紙以降、詰まったタブ紙に相当するタブ紙前のタブ紙までのタブ紙を除去すべきタブ紙と判断し、除去タブ紙排出手段が、除去タブ紙判断手段によって判断された除去すべきタブ紙を所定の位置と異なる位置に排出することができ、これによって、タブ紙のタブ位置順にタブ紙を搬送することができるとともに、タブ位置順に排出されるタブ紙と除去すべきタブ紙との混同を防止して、タブ紙のタブ位置の順番を確保することができる。
【手続補正１３】
【補正対象書類名】図面
【補正対象項目名】図２
【補正方法】変更
【補正の内容】
【図２】
2001302022.tif 000001